【手続補正書】
【提出日】平成21年2月9日(2009.2.9)
【手続補正１】
【補正対象書類名】明細書
【補正対象項目名】特許請求の範囲
【補正方法】変更
【補正の内容】
【特許請求の範囲】
【請求項１】
遊技機本体部の取付枠と、前記取付枠に取り付けられる遊技盤とを備えた遊技機であって、
前記遊技盤は、その一側縁が前記取付枠の一側縁に結合されて当該取付枠に対して開いた第１の位置と閉じた第２の位置との間で開閉回動可能とされるとともに、前記第２の位置へ回動された状態で当該遊技盤の前面に備えたロック操作手段により前記取付枠に解除自在に止着される構成とし、
前記ロック操作手段は、前記第２の位置へ回動された前記遊技盤を前記取付枠に解除自在に止着すべく当該遊技盤に回動操作可能に取り付けられたロックハンドルを有し、
前記遊技盤を止着するための前記ロックハンドルの回動操作における前記第２の位置ないしその近傍での止着のための押圧方向が、前記遊技盤の回動動作における前記第２の位置ないしその近傍での閉鎖のための押圧方向と概ね一致し、前記遊技盤の止着を解除するための前記ロックハンドルの回動動作における前記第２の位置ないしその近傍での止着解除のための引張り方向が、前記遊技盤の回動動作における前記第２の位置ないしその近傍での開放のための引張り方向と概ね一致する構成としたことを特徴とする遊技機。
【請求項２】
前記ロック操作手段は、前記遊技盤の前面における遊技領域から外れた領域に配置されていることを特徴とする請求項１記載の遊技機。
【請求項３】
遊技機本体部の取付枠と、前記取付枠に取り付けられる遊技盤とを備えた遊技機であって、
前記遊技盤は、その一側縁が前記取付枠の一側縁に結合されて当該取付枠に対して開いた第１の位置と閉じた第２の位置との間で開閉回動可能とされるとともに、当該遊技盤の前面に回動動作用の取手を備え、
前記取手は、前記遊技盤が前記第２の位置へ回動された状態において当該遊技盤を前記取付枠に解除自在に止着すべく当該遊技盤に回動操作可能に取り付けられるロックハンドルを兼用する構成とし、
前記取手による前記遊技盤の回動動作における前記第２の位置ないしその近傍での閉鎖のための押圧方向は、前記ロックハンドルの回動操作における前記第２の位置ないしその近傍での止着のための押圧方向と概ね一致し、前記取手による前記遊技盤の回動動作における前記第２の位置ないしその近傍での開放のための引張り方向は、前記ロックハンドルの回動操作における前記第２の位置ないしその近傍での止着解除のための引張り方向と概ね一致する構成としたことを特徴とする遊技機。
【請求項４】
前記取手は、前記遊技盤の前面における遊技領域から外れた領域に配置されていることを特徴とする請求項３記載の遊技機。
【手続補正２】
【補正対象書類名】明細書
【補正対象項目名】０００６
【補正方法】変更
【補正の内容】
【０００６】
【課題を解決するための手段】
上記課題を達成するため、請求項１に記載の発明が構成される。
請求項１に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、遊技盤は、その一側縁が前記取付枠の一側縁に結合されて当該取付枠に対して開いた第１の位置と閉じた第２の位置との間で開閉回動可能とされている。また遊技盤は、第２の位置へ回動された状態で当該遊技盤の前面に備えたロック操作手段により取付枠に解除自在に止着される構成とする。
ロック操作手段は、第２の位置へ回動された遊技盤を取付枠に解除自在に止着すべく当該遊技盤に回動操作可能に取り付けられたロックハンドルを有している。そして遊技盤を止着するためのロックハンドルの回動操作における第２の位置ないしその近傍での止着のための押圧方向が、遊技盤の回動動作における第２の位置ないしその近傍での閉鎖のための押圧方向と概ね一致し、遊技盤の止着を解除するためのロックハンドルの回動動作における第２の位置ないしその近傍での止着解除のための引張り方向が、遊技盤の回動動作における前記第２の位置ないしその近傍での開放のための引張り方向と概ね一致するよう構成される。
なお、「一側縁」とは、典型的には、遊技機の前面側から見て左側縁がこれに該当するが、左側縁の他、右側縁あるいは下縁を包含する。また「結合」の態様としては、ピンとガイド溝とのはめ込みを介して回動自在に結合される態様、あるいはピンと孔とのはめ合いを介して回動自在に結合される態様、またはいわゆるヒンジ（蝶番）を介して回動自在に結合される態様等がこれに該当する。また「閉じた第２の位置」とは、完全に閉じた位置は勿論のこと、完全に閉じた位置に至る直前の位置をも包含する概念である。
上記のように、遊技盤の前面にロック操作手段を備える構成の本発明によれば、遊技盤の前面領域を十分に活用してロック操作手段の配置スペースを形成することができる。すなわち、取付枠にロック操作手段を配置する従来の構成であれば、取付枠の限られた広さの前面領域（枠幅内）にロック操作手段の配置スペースを確保しなければならない、といった制約を受けるが、本発明のように遊技盤の前面にロック操作手段を配置する構成としたときは、取付枠に比べて比較的広いスペースを容易に確保することが可能となり、その結果として、ロック操作手段を比較的大きいサイズに形成することが可能となる。ロック操作手段の大型化は、取付枠に対する遊技盤の止着能力を高めるとともに、止着操作あるいは止着解除操作の操作性を向上する上で有効となる。これにより、遊技盤を取付枠に取り付ける際の作業性を合理的に向上することが可能となる。
しかも、遊技盤が第２の位置ないしその近傍に位置した状態で行われるロックハンドルの止着のための操作方向あるいは止着解除のための操作方向が、遊技盤の第２の位置ないしその近傍での動作方向と概ね一致するように構成される。そのため、ロックハンドルによる遊技盤の止着作業あるいは止着解除作業を、遊技盤の回動動作との関係において、一連の連続した作業形態として合理的に行うことができる。これにより、取付枠に対する遊技盤の取り付け作業あるいは取り外し作業の作業性を向上することが可能となる。
【手続補正３】
【補正対象書類名】明細書
【補正対象項目名】０００７
【補正方法】変更
【補正の内容】
【０００７】
請求項２に記載の発明では、請求項１に記載の遊技機において、ロック操作手段は、遊技盤の前面における遊技領域から外れた領域に配置されている構成とした。なお、「遊技領域」とは、例えばパチンコ機の場合であれば、典型的には、遊技球の移動範囲を規定するために遊技盤前面に概ね円形状に配置されるレールによって囲まれる領域がこれに該当する。
請求項２の発明によれば、遊技盤の前面において、遊技領域から外れた領域、すなわち遊技に用いられないデッドスペースにロック操作手段が配置された遊技機が構成される。遊技盤が四角形に形成される場合、例えば左右の側縁上方領域には、相当な広さのデッドスペースが存在する。このデッドスペースをロック操作手段の配置スペースとして利用することで、当該ロック操作手段を、遊技盤を適正に止着する上で必要な大きさに設定することが可能となる。これにより、取付枠に対する遊技盤の止着能力を高めることができるとともに、止着操作あるいは止着解除操作の操作性を向上することが可能になる。なお、遊技領域から外れるデッドスペースについては、例えば遊技機の前面に配置されるガラス枠に電飾装置を設け、その電飾装置によって覆う設定とすることで、ガラス枠が閉じられた状態では、デッドスペースに配置されるロック操作手段を遊技者から合理的に隠蔽することが可能となる。
【手続補正４】
【補正対象書類名】明細書
【補正対象項目名】０００８
【補正方法】変更
【補正の内容】
【０００８】
請求項３に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、遊技盤は、その一側縁が前記取付枠の一側縁に結合されて当該取付枠に対して開いた第１の位置と閉じた第２の位置との間で開閉回動可能とされるとともに、当該遊技盤の前面に回動動作用の取手を備えた構成とされる。
なお、「一側縁」とは、典型的には、遊技機の前面側から見て左側縁がこれに該当するが、左側縁の他、右側縁あるいは下縁を包含する。また「結合」の態様としては、ピンとガイド溝とのはめ込みを介して回動自在に結合される態様、あるいはピンと孔とのはめ合いを介して回動自在に結合される態様、またはいわゆるヒンジ（蝶番）を介して回動自在に結合される態様等がこれに該当する。
また、取手は、遊技盤が第２の位置へ回動された状態において当該遊技盤を取付枠に解除自在に止着すべく当該遊技盤に回動操作可能に備えられるロックハンドルを兼用する構成とされる。
さらに、取手による遊技盤の回動動作における第２の位置ないしその近傍での閉鎖のための押圧方向は、ロックハンドルの回動操作における第２の位置ないしその近傍での止着のための押圧方向と概ね一致し、取手による遊技盤の回動動作における第２の位置ないしその近傍での開放のための引張り方向は、ロックハンドルの回動操作における第２の位置ないしその近傍での止着解除のための引張り方向と概ね一致する構成とされる。
請求項３に記載の発明では、遊技盤の前面に取手を備えたことにより、この取手を用いて遊技盤を第１の位置と第２の位置との間で回動動作させることができる。一般に遊技盤は、取付枠に止着された閉鎖状態では、当該取付枠の前面に対して面一もしくは奥側（背面側）に引っ込んでいる。すなわち、取付枠内にはめ込み状に格納されており、前方へ引き出し難い構成となっている。しかるに、本発明によれば、このような格納状態に置かれる止着位置の遊技盤を、取手を用いて容易に引き出すことができる。
また、遊技盤が第２の位置へ回動された状態において当該遊技盤を取付枠に解除自在に止着すべく当該遊技盤に回動操作可能に取り付けられるロックハンドルを兼用する構成とすることで部品点数を減少することができるため、遊技盤面の限られた領域に配置スペースを合理的に確保することが可能となる。
さらに、換言すれば、取手を用いて遊技盤を第１の位置と第２の位置との間で開閉回動動作させる場合において、第２の位置ないしその近傍での取手による動作方向が、第２の位置ないしその近傍で行われるロックハンドルによる遊技盤止着のための操作方向あるいは止着解除のための操作方向と概ね一致するように構成することで、作業者は、取手を用いて、無駄のない連続した動作で遊技盤の取付作業あるいは取り外し作業を行うことができる。このため、作業性の向上を図ることができる。
請求項４に記載の発明では、請求項３に記載の遊技機において、取手は、遊技盤の前面における遊技領域から外れた領域に配置される構成とした。
「遊技領域」とは、例えばパチンコ機の場合であれば、典型的には、遊技球の移動範囲を規定するために遊技盤前面に概ね円形状に配置されるレールによって囲まれる領域がこれに該当する。
請求項４の発明によれば、遊技盤の前面において、遊技領域から外れた領域、すなわち遊技に用いられないデッドスペースに取手を配置した遊技機が構成される。遊技盤が四角形に形成される場合、例えば左右の側縁上方領域には、相当な広さのデッドスペースが存在する。このデッドスペースを取手の配置スペースとして利用することで、当該取手を、手で掴み易いサイズに設定することが可能となる。これにより、取付枠に対する遊技盤の回動動作を容易に行うことができる。